(57)【特許請求の範囲】
【請求項１】
第１サブ領域、第２サブ領域、及び前記第１サブ領域と前記第２サブ領域との間に配置された第３サブ領域を含む一つ以上の第２画素領域と、一つ以上の第１画素領域とが上部に形成されたベース基板と、
前記第１画素領域及び前記第２画素領域の第１サブ領域に形成された第１カラーフィルタと、
前記第２画素領域の第２サブ領域に形成された第２カラーフィルタと、
を含み、
前記第１サブ領域と前記第２サブ領域とは互い違いに配置されていて、
前記第３サブ領域は、前記第１サブ領域に形成された前記第１カラーフィルタと前記第２サブ領域に形成された前記第２カラーフィルタのオーバーラップを防止し、前記第３サブ領域は前記第１サブ領域及び前記第２サブ領域と違った大きさの面積を有することを特徴とするカラーフィルタ基板。
【請求項２】
前記第１カラーフィルタは、レッド、グリーンまたはブルー色を含むことを特徴とする請求項１記載のカラーフィルタ基板。
【請求項３】
前記第１画素領域は、レッド画素領域、グリーン画素領域及びブルー画素領域を含み、前記第１カラーフィルタは前記レッド画素領域に形成されたレッドカラーフィルタ、前記グリーン画素領域に形成されたグリーンカラーフィルタ及び前記ブルー画素領域に形成されたブルーカラーフィルタを含むことを特徴とする請求項２記載のカラーフィルタ基板。
【請求項４】
前記第２画素領域は、シアン画素領域、マゼンタ画素領域及びイエロー画素領域を含み、
前記シアン画素領域の前記第１サブ領域には前記ブルーカラーフィルタが形成され、前記シアン画素領域の前記第２サブ領域には前記グリーンカラーフィルタが形成され、
前記マゼンタ画素領域の第１サブ領域には前記レッドカラーフィルタが形成され、前記第２サブ領域には前記ブルーカラーフィルタが形成され、
前記イエロー画素領域の第１サブ領域には前記レッドカラーフィルタが形成され、前記第２サブ領域には前記グリーンカラーフィルタが形成されることを特徴とする請求項３記載のカラーフィルタ基板。
【請求項５】
前記第１及び第２サブ領域は、互いに同一の面積であることを特徴とする請求項１記載のカラーフィルタ基板。
【請求項６】
前記第１及び第２サブ領域の面積は、互いに異なることを特徴とする請求項１記載のカラーフィルタ基板。
【請求項７】
前記第１及び第２サブ領域の境界は、前記第２画素領域の幅方向に形成されることを特徴とする請求項１記載のカラーフィルタ基板。
【請求項８】
前記第１及び第２サブ領域の境界は、前記第２画素領域の長さ方向に形成されたことを特徴とする請求項１記載のカラーフィルタ基板。
【請求項９】
前記第１及び第２サブ領域の境界は、メッシュ形状であることを特徴とする請求項１記載のカラーフィルタ基板。
【請求項１０】
前記第１及び第２サブ領域は、ドット（ＤＯＴ）形状であることを特徴とする請求項１記載のカラーフィルタ基板。
【請求項１１】
レッド画素領域、グリーン画素領域、ブルー画素領域、及び混色画素領域を含むベース基板と、
前記レッド画素領域に形成されたレッドカラーフィルタと、
前記グリーン画素領域に形成されたグリーンカラーフィルタと、
前記ブルー画素領域に形成されたブルーカラーフィルタと、
を含み、
前記混色画素領域は、第１サブ領域、第２サブ領域、及び前記第１サブ領域と前記第２サブ領域との間に配置された第３サブ領域を含み、
前記第１及び第２サブ領域には前記レッドカラーフィルタ、前記グリーンカラーフィルタ及び前記ブルーカラーフィルタのうち選択された２つの互いに異なる色を有するカラーフィルタがそれぞれ形成され、
前記第１サブ領域と前記第２サブ領域とは互い違いに配置されていて、前記第３サブ領域は、前記第１サブ領域に形成された前記第１カラーフィルタと前記第２サブ領域に形成された前記第２カラーフィルタのオーバーラップを防止し、前記第３サブ領域は前記第１サブ領域及び前記第２サブ領域と違った大きさの面積を有することを特徴とするカラーフィルタ基板。
【請求項１２】
第１サブ領域、第２サブ領域、及び前記第１サブ領域と前記第２サブ領域との間に配置された第３サブ領域を含む一つ以上の第２画素領域と、一つ以上の第１画素領域とが上部に形成されたベース基板に、前記第１及び第２画素領域を露出させる開口部を含むブラックマトリックスを形成する段階と、
前記第１画素領域及び前記第２画素領域の第１サブ領域に第１カラーフィルタを形成する段階と、
前記第２画素領域の第２サブ領域に第２カラーフィルタを形成する段階と、
を含み、
前記第１サブ領域と前記第２サブ領域とは互い違いに配置されていて、前記第３サブ領域は、前記第１サブ領域に形成された前記第１カラーフィルタと前記第２サブ領域に形成された前記第２カラーフィルタのオーバーラップを防止し、前記第３サブ領域は前記第１サブ領域及び前記第２サブ領域と違った大きさの面積を有することを特徴とするカラーフィルタ基板の製造方法。
【請求項１３】
前記第１及び第２カラーフィルタは、レッドカラーフィルタ、グリーンカラーフィルタ及びブルーカラーフィルタのうち選択された２つのカラーフィルタであることを特徴とする請求項１２記載のカラーフィルタ基板製造方法。
【請求項１４】
前記第１及び第２サブ領域は、互いに同一の面積であることを特徴とする請求項１２記載のカラーフィルタ基板製造方法。
【請求項１５】
前記第１及び第２サブ領域の面積は、互いに異なることを特徴とする請求項１２記載のカラーフィルタ基板の製造方法。
【請求項１６】
前記第１及び第２サブ領域の境界は、前記第２画素領域の幅方向に形成されることを特徴とする請求項１２記載のカラーフィルタ基板製造方法。
【請求項１７】
前記第１及び第２サブ領域の境界は、前記第２画素領域の長さ方向に形成されることを特徴とする請求項１２記載のカラーフィルタ基板製造方法。
【請求項１８】
前記第１及び第２サブ領域の境界は、メッシュ形状であることを特徴とする請求項１２記載のカラーフィルタ基板の製造方法。
【請求項１９】
前記第１及び第２サブ領域は、ドット形状であることを特徴とする請求項１２記載のカラーフィルタ基板の製造方法。
【請求項２０】
前記請求項１〜１１のいずれかに記載のカラーフィルタ基板と、
前記ベース基板の前記第１画素領域と前記第２画素領域に形成される光を発光する発光素子と、
を含むことを特徴とする表示装置。
【請求項２１】
前記請求項１〜１１のいずれかに記載のカラーフィルタ基板と、
前記カラーフィルタ基板に対向し、画素電極及び前記画素電極に画素電圧を印加するスイッチング素子を含むアレイ基板と、
前記アレイ基板と前記カラーフィルタ基板との間に介在された液晶層と、
を含むことを特徴とする表示装置。
【発明の詳細な説明】
【技術分野】
【０００１】
本発明はカラーフィルタ基板、それの製造方法及びそれを含む表示装置に関し、より詳細に説明すると製造工程を単純化するためのカラーフィルタ基板、それの製造方法及びそれを含む表示装置に関する。
【背景技術】
【０００２】
放送やパッケージメディアなどの画像（動映像）コンテンツは、現在ブラウン管（ｃａｔｈｏｄｅ  ｒａｔ  ｔｕｂｅ：ＣＲＴ）ＴＶの色再現範囲、即ち、赤色、緑色及び青色の三原色を用いることを前提にして作られている。現在のレッド、グリーン、ブルー（Ｒ、Ｇ、Ｂ）の三つの基本色に基づいたイメージ標準は人間の色認知能力を追っていけない状況である。従って、今後レッド、グリーン、ブルーの三つの基本色の他に追加的な基本色を含む方向に移動していくと期待される。
【０００３】
さらに、現在のＤＶＤ及びデジタル放送信号もＹＣｂＣｒ信号を使用するのでＲ、Ｇ、Ｂ信号が有していない信号を含んでいる。現在、デジタル放送及びＤＶＤフォーマットで使用されるＹＣｂＣｒ信号は既存のＲ、Ｇ、Ｂ三つの基本色では具現することができない色領域を含むので、画像歪曲及び画質低下問題が必然的に発生する。
液晶表示装置において、より広い色再現の範囲を具現するために使用される方法は発光ダイオード（ＬＥＤ：Light Emitting Diode）を採択したバックライトアセンブリの利用、ＣＣＦＬ（Cold Cathode Fluorescent Lamp）の波長帯変更、１２ビット駆動、多色カラーフィルタなどが研究されている。
【０００４】
これらの方法のうち多色カラーフィルタは最小四つ以上の基本色を有するレッド、グリーン、ブルー及びホワイト（ＲＧＢＷ）を有するカラーフィルタ、レッド、グリーン、ブルー、シアン及びイエロー（ＲＧＢＣＹ）を有するカラーフィルタ、レッド、グリーン、ブルー、シアン、マゼンタ及びイエロー（ＲＧＢＣＭＹ）を有するカラーフィルタなどが考慮されている。
【０００５】
このような多色カラーフィルタを作るためには既存の工程に追加されるカラーフィルタ分だけの工程及び資材が追加される。
【特許文献１】特開２００１−３０５３２８号公報
【発明の開示】
【発明が解決しようとする課題】
【０００６】
このように増加される工程数を減少するためにＣＭＹを用いてＲ、Ｇ、Ｂを形成する減法混色を用いた技術が開発されているが、この場合カラーフィルタ層の積層による段差形成を避けることができなくなる。
より詳細に説明すると、レッドカラーフィルタはシアンカラーフィルタ層とイエローカラーフィルタ層の積層で生成され、グリーンカラーフィルタはイエローカラーフィルタ層とマゼンタカラーフィルタ層の積層で生成され、ブルーカラーフィルタはシアンカラーフィルタ層とマゼンタカラーフィルタ層の積層で生成される。従って、レッドカラーフィルタ、グリーンカラーフィルタ及びブルーカラーフィルタは前記シアンカラーフィルタ、マゼンタカラーフィルタ及びイエローカラーフィルタ層より厚く形成されカラーフィルタ基板とアレイ基板との間に形成される液晶層の厚さが不均一になることがあり得る。
【０００７】
さらに、光が各カラーフィルタを通過し弱くなる減法混色によると、輝度が低下されるという問題点があった。
従って、画質が向上され単純した製造工程を有するカラーフィルタ基板を具備する表示装置の開発が必要である。
従って、本発明の第１目的は、製造工程単純化に適合し、画質の向上されたカラーフィルタ基板を提供することにある。
【０００８】
また、本発明の第２目的は、前記カラーフィルタ基板を製造する方法を提供することにある。
また、本発明の第３目的は、前記カラーフィルタ基板を有する表示装置を提供することにある。
【課題を解決するための手段】
【０００９】
このような本発明の第１目的を達成するための本願第１発明の一実施例によるカラーフィルタ基板は、ベース基板、第１カラーフィルタ基板及び第２カラーフィルタ基板を含む。前記ベース基板は、第１サブ領域、第２サブ領域、及び前記第１サブ領域と前記第２サブ領域との間に配置された第３サブ領域を含む一つ以上の第２画素領域と一つ以上の第１画素領域とを上部に含む。前記第１カラーフィルタは前記第１画素領域及び前記第２画素領域の第１サブ領域に形成される。前記第２カラーフィルタは前記第２画素領域の第２サブ領域に形成される。前記第１サブ領域と前記第２サブ領域とは互い違いに配置されていて、前記第３サブ領域は、前記第１サブ領域に形成された前記第１カラーフィルタと前記第２サブ領域に形成された前記第２カラーフィルタのオーバーラップを防止し、前記第３サブ領域は前記第１サブ領域及び前記第２サブ領域と違った大きさの面積を有する。
【００１０】
例えば、第１画素領域には基本三原色のカラーフィルタを配置し、第２画素領域のサブ領域には基本三原色の混色のカラーフィルタを配置することで、多色カラーフィルタを製造することができる。これにより、より広い色再現の範囲を具現することができる。
また、第３サブ領域によって第１サブ領域及び第２サブ領域に形成されたカラーフィルタが互いに離隔される。前記第３サブ領域は、前記第１サブ領域及び第２サブ領域に形成されたカラーフィルタ間のオーバーラップを防止して段差生成を防止する。また、第３サブ領域を通じて、第２画素領域を通過した光の色座標を調節することができる。
【００１１】
本願第３発明は、第２発明において、前記第１画素領域は、レッド画素領域、グリーン画素領域及びブルー画素領域を含み、前記第１カラーフィルタは前記レッド画素領域に形成されたレッドカラーフィルタ、前記グリーン画素領域に形成されたグリーンカラーフィルタ及び前記ブルー画素領域に形成されたブルーカラーフィルタを含む。
本願第４発明は、第３発明において、前記第２画素領域は、シアン画素領域、マゼンタ画素領域、及びイエロー画素領域を含み、前記シアン画素領域の前記第１サブ領域には前記ブルーカラーフィルタが形成され、前記シアン画素領域の前記第２サブ領域には前記グリーンカラーフィルタが形成される。前記マゼンタ画素領域の第１サブ領域には前記レッドカラーフィルタが形成され、前記第２サブ領域には前記ブルーカラーフィルタが形成される。前記イエロー画素領域の第１サブ領域には前記レッドカラーフィルタが形成され、前記第２サブ領域には前記グリーンカラーフィルタが形成される。
【００１２】
上記のようなレッド、グリーン、及びブルーを混ぜ合わせて様々な色を再現する加法混色では、これらの色を混ぜ合わせると輝度が高くなる。一方、減法混色では、混ぜ合わせるほど輝度が低くなる。本発明では、互いに異なる色の光を混合する加法混色を適用するので輝度が向上される。
本願第５発明は、第１発明において、前記第１及び第２サブ領域は互いに同一の面積を有する。
【００１３】
本願第６発明は、第１発明において、前記第１及び第２サブ領域の面積は互いに異なることもできる。
【００１４】
本願第７発明は、第１発明において、前記第１及び第２サブ領域の境界は前記第２画素領域の幅方向に形成されることができる。
本願第８発明は、第１発明において、前記第１及び第２サブ領域の境界は前記第２画素領域の長さ方向に形成されることができる。
本願第９発明は、第１発明において、前記第１及び第２サブ領域の境界はメッシュ形状であることができる。
【００１５】
本願第１０発明は、第１発明において、前記第１及び第２サブ領域はドット形状であり、互いに交番的に配置されることができる。
本発明の第１目的を達成するための本願第１１発明の他の実施例によるカラーフィルタ基板は、ベース基板、レッドカラーフィルタ、グリーンカラーフィルタ及びブルーカラーフィルタを含む。前記ベース基板は、レッド画素領域、グリーン画素領域、ブルー画素領域、及び混色画素領域を含む。前記レッドカラーフィルタは前記レッド画素領域に形成される。前記グリーンカラーフィルタは前記グリーン画素領域に形成される。前記ブルーカラーフィルタは前記ブルー画素領域に形成される。前記混色画素領域は、第１サブ領域、第２サブ領域、及び前記第１サブ領域と前記第２サブ領域との間に配置された第３サブ領域を含む。前記第１及び第２サブ領域には前記レッドカラーフィルタ、前記グリーンカラーフィルタ及び前記ブルーカラーフィルタのうち選択された互いに異なる２つの色を有するカラーフィルタがそれぞれ形成される。前記第１サブ領域と前記第２サブ領域とは互い違いに配置されていて、前記第３サブ領域は、前記第１サブ領域に形成された前記第１カラーフィルタと前記第２サブ領域に形成された前記第２カラーフィルタのオーバーラップを防止し、前記第３サブ領域は前記第１サブ領域及び前記第２サブ領域と違った大きさの面積を有する。
【００１６】
上記のようなレッド、グリーン、及びブルーを混ぜ合わせて様々な色を再現する加法混色では、これらの色を混ぜ合わせると輝度が高くなる。一方、減法混色では、混ぜ合わせるほど輝度が低くなる。本発明では、互いに異なる色の光を混合する加法混色を適用するので輝度が向上される。また、上記のような多色カラーフィルタを製造することで、より広い色再現の範囲を具現することができる。
【００１７】
本発明の第２目的を達成するための本願第１２発明の一実施例によるカラーフィルタ基板の製造方法は、第１サブ領域、第２サブ領域、及び前記第１サブ領域と前記第２サブ領域との間に配置された第３サブ領域を含む一つ以上の第２画素領域と、一つ以上の第１画素領域とが上部に形成されたベース基板に、前記第１及び第２画素領域を露出させる開口部を含むブラックマトリックスを形成する段階と、前記第１画素領域及び前記第２画素領域の第１サブ領域に第１カラーフィルタを形成する段階と、前記第２画素領域の第２サブ領域に第２カラーフィルタを形成する段階と、を含む。前記第１サブ領域と前記第２サブ領域とは互い違いに配置されていて、前記第３サブ領域は、前記第１サブ領域に形成された前記第１カラーフィルタと前記第２サブ領域に形成された前記第２カラーフィルタのオーバーラップを防止し、前記第３サブ領域は前記第１サブ領域及び前記第２サブ領域と違った大きさの面積を有する。
【００１８】
例えば、第１画素領域には基本三原色のカラーフィルタを配置し、第２画素領域のサブ領域には基本三原色の混色のカラーフィルタを配置することで、多色カラーフィルタを製造することができる。これにより、より広い色再現の範囲を具現することができる。
本願第１３発明は、第１２発明において、前記第１及び第２カラーフィルタは、レッドカラーフィルタ、グリーンカラーフィルタ及びブルーカラーフィルタのうち選択された２つのカラーフィルタである。
【００１９】
上記のようなレッド、グリーン、及びブルーを混ぜ合わせて様々な色を再現する加法混色では、これらの色を混ぜ合わせると輝度が高くなる。
第３サブ領域によって第１サブ領域及び第２サブ領域に形成されたカラーフィルタが互いに離隔される。前記第３サブ領域は、前記第１サブ領域及び第２サブ領域に形成されたカラーフィルタ間のオーバーラップを防止して段差生成を防止する。また、第３サブ領域を通じて、第２画素領域を通過した光の色座標を調節することができる。
【００２０】
前記第１及び第２サブ領域は、互いに同一の面積である。
前記第１及び第２サブ領域の面積は、互いに異なる。
前記第１及び第２サブ領域の境界は、前記第２画素領域の幅方向に形成される。
【００２１】
前記第１及び第２サブ領域の境界は、前記第２画素領域の長さ方向に形成される。
前記第１及び第２サブ領域の境界は、メッシュ形状である。
前記第１及び第２サブ領域は、ドット形状である。
本発明の第３目的を達成するための本発明の別の一実施例による表示装置は、ベース基板、発光素子、第１カラーフィルタ及び第２カラーフィルタを含む。前記ベース基板は上部に一つ以上の第１画素領域、及び第１サブ領域と第２サブ領域とを含む一つ以上の第２画素領域を含む。前記発光素子は前記ベース基板の前記第１画素領域と前記第２画素領域に形成され光を発光する。前記第１カラーフィルタは第１画素領域及び前記第２画素領域の第１サブ領域上部に形成される。前記第２カラーフィルタは前記第２画素領域の第２サブ領域に形成される。
【００２２】
例えば、第１画素領域には基本三原色のカラーフィルタを配置し、第２画素領域のサブ領域には基本三原色の混色のカラーフィルタを配置することで、多色カラーフィルタを製造することができる。これにより、より広い色再現の範囲を具現することができる。
本発明のさらに別の一実施例による表示装置は、前記本発明の別の一実施例による表示装置において、前記発光素子は第１電極、前記第１電極と対向する第２電極及び前記第１電極と前記第２電極との間に配置された有機発光層を含む。
【００２３】
前記第１カラーフィルタは、レッド、グリーンまたはブルー色を含むのが好ましい。
前記第１画素領域はレッド画素領域、グリーン画素領域及びブルー画素領域を含み、前記第１カラーフィルタは前記レッド画素領域に形成されたレッドカラーフィルタ、前記グリーン画素領域に形成されたグリーンカラーフィルタ及び前記ブルー画素領域に形成されたブルーカラーフィルタを含むのが好ましい。
【００２４】
前記第２画素領域は、シアン画素領域、マゼンタ画素領域及びイエロー画素領域を含み、前記シアン画素領域の前記第１サブ領域には前記ブルーカラーフィルタが形成され、前記シアン画素領域の前記第２サブ領域には前記グリーンカラーフィルタが形成され、前記マゼンタ画素領域の第１サブ領域には前記レッドカラーフィルタが形成され、前記第２サブ領域には前記ブルーカラーフィルタが形成され、前記イエロー画素領域の第１サブ領域には前記レッドカラーフィルタが形成され、前記第２サブ領域には前記グリーンカラーフィルタが形成されるのが好ましい。
【００２５】
上記のようなレッド、グリーン、及びブルーを混ぜ合わせて様々な色を再現する加法混色では、これらの色を混ぜ合わせると輝度が高くなる。
前記第１及び第２サブ領域は、互いに同一の面積である。
前記第１及び第２サブ領域の面積は、互いに異なる。
前記第２画素領域それぞれは、第３サブ領域をさらに含み、前記第３サブ領域は前記第１サブ領域と前記第２サブ領域との間に配置されるのが好ましい。
【００２６】
第３サブ領域によって第１サブ領域及び第２サブ領域に形成されたカラーフィルタが互いに離隔される。前記第３サブ領域は、前記第１サブ領域及び第２サブ領域に形成されたカラーフィルタ間のオーバーラップを防止して段差生成を防止する。また、第３サブ領域を通じて、第２画素領域を通過した光の色座標を調節することができる。
前記第１及び第２サブ領域の境界は、前記第２画素領域の幅方向に形成されるのが好ましい。
【００２７】
前記第１及び第２サブ領域の境界は、前記第２画素領域の長さ方向に形成されるのが好ましい。
前記第１及び第２サブ領域の境界は、メッシュ形状である。
前記第１及び第２サブ領域は、ドット形状である。
また、本発明の第３目的を達成するための他の実施例による表示装置は、カラーフィルタ基板、アレイ基板及び液晶層を含む。前記カラーフィルタ基板は上部に一つ以上の第１画素領域、及び第１サブ領域と第２サブ領域とを含む一つ以上の第２画素領域が形成されたベース基板、前記第１画素領域及び前記第２画素領域の第１サブ領域に形成された第１カラーフィルタ、及び前記第２画素領域の第２サブ領域に形成された第２カラーフィルタを含む。前記アレイ基板は前記カラーフィルタ基板に対向し、画素電極及び前記画素電極に画素電圧を印加するスイッチング素子を含む。前記液晶層は前記アレイ基板と前記カラーフィルタ基板との間に介在される。
【００２８】
例えば、第１画素領域には基本三原色のカラーフィルタを配置し、第２画素領域のサブ領域には基本三原色の混色のカラーフィルタを配置することで、多色カラーフィルタを製造することができる。これにより、より広い色再現の範囲を具現することができる。
前記第１カラーフィルタは、レッド、グリーンまたはブルー色を含むのが好ましい。
前記第１画素領域は、レッド画素領域、グリーン画素領域、及びブルー画素領域を含み、前記第１カラーフィルタは前記レッド画素領域に形成されたレッドカラーフィルタ、前記グリーン画素領域に形成されたグリーンカラーフィルタ及び前記ブルー画素領域に形成されたブルーカラーフィルタを含むのが好ましい。
【００２９】
前記第２画素領域はシアン画素領域、マゼンタ画素領域、及びイエロー画素領域を含み、前記シアン画素領域の前記第１サブ領域には前記ブルーカラーフィルタが形成され、前記シアン画素領域の前記第２サブ領域には前記グリーンカラーフィルタが形成され、前記マゼンタ画素領域の第１サブ領域には前記レッドカラーフィルタが形成され前記第２サブ領域には前記ブルーカラーフィルタが形成され、前記イエロー画素領域の第１サブ領域には前記レッドカラーフィルタが形成され、前記第２サブ領域には前記グリーンカラーフィルタが形成されるのが好ましい。
【００３０】
上記のようなレッド、グリーン、及びブルーを混ぜ合わせて様々な色を再現する加法混色では、これらの色を混ぜ合わせると輝度が高くなる。
前記第１及び第２サブ領域は、互いに同一の面積である。
前記第１及び第２サブ領域の面積は、互いに異なる。
前記第２画素領域それぞれは、第３サブ領域をさらに含み、前記第３サブ領域は前記第１サブ領域と前記第２サブ領域との間に配置されるのが好ましい。
【００３１】
第３サブ領域によって第１サブ領域及び第２サブ領域に形成されたカラーフィルタが互いに離隔される。前記第３サブ領域は、前記第１サブ領域及び第２サブ領域に形成されたカラーフィルタ間のオーバーラップを防止して段差生成を防止する。また、第３サブ領域を通じて、第２画素領域を通過した光の色座標を調節することができる。
前記第１及び第２サブ領域の境界は、前記第２画素領域の幅方向に形成される。
【００３２】
前記第１及び第２サブ領域の境界は、前記第２画素領域の長さ方向に形成される。
前記第１及び第２サブ領域の境界は、メッシュ形状である。
前記第１及び第２サブ領域は、ドット形状である。
【発明の効果】
【００３３】
本発明によると、互いに異なる色の光を混合する加法混色を適用するので輝度が向上される。
【発明を実施するための最良の形態】
【００３４】
以下、添付図面を参照して、本発明の好ましい実施形態をより詳細に説明する。図面に示された各層の間隔は誇張され示されることができ、以下の説明で“上に”は接触するすぐの上を指称することもできる。
図１は本発明の一実施例によるカラーフィルタ基板の画素領域を示した平面図であり、図２は図１のＩ−Ｉ‘線に沿って切断した部分を示した断面図である。
【００３５】
図１及び図２に示すように、本発明の一実施例によるカラーフィルタ基板１００はベース基板１１０及び前記ベース基板１１０上に形成された複数のカラーフィルタを含む。選択的に、前記カラーフィルタ基板１００はブラックマトリックス１１１をさらに含む。
前記ベース基板１１０は光学的に透明な物質を含む。例えば、ガラス基板が前記ベース基板１１０として使用されることができる。
前記ブラックマトリックス１１１は前記ベース基板１１０の上部に形成される。ブラックマトリックス１１１は光を遮断する。ブラックマトリックス１１１はマトリックス形状に配列された複数の開口部を含み、前記ベース基板１１０は前記開口部を通じて露出される。前記開口部はベース基板１１０上部に複数の画素領域を画定する。
それぞれの画素領域は第１画素領域１０１及び第２画素領域１０２を含む。また、第２画素領域１０２は第１サブ領域１０２ａ及び第２サブ領域１０２ｂを含む。
前記第１画素領域１０１はレッド画素領域（Ｒ）、グリーン画素領域（Ｇ）、ブルー画素領域（Ｂ）に対応し、前記第２画素領域１０２はシアン画素領域、マゼンタ画素領域、イエロー画素領域を含む。
【００３６】
本発明では加法混色により前記シアン画素領域、マゼンタ画素領域及びイエロー画素領域を具現する。より詳細に説明すると、シアンはブルーに対応する波長領域の光とグリーンに対応する波長領域の光を足して具現され（Ｃ＝Ｂ＋Ｇ）、マゼンタはレッドに対応する波長領域の光とブルーに対応する波長領域の光を足して具現され（Ｍ＝Ｒ＋Ｂ）、イエローはレッドに対応する波長領域の光とグリーンに対応する波長領域の光を足して具現される（Ｙ＝Ｒ＋Ｇ）。
【００３７】
従って、シアン領域、マゼンタ領域、イエロー画素領域に対応する前記第２画素領域１０２は前記第１サブ領域１０２ａ、及び第２サブ領域１０２ｂを含み、第１サブ領域１０２ａ及び第２サブ領域１０２ｂにレッドカラーフィルタ、グリーンカラーフィルタ及びブルーカラーフィルタのうち互いに異なる二つの色を有するカラーフィルタがそれぞれ形成され前記シアン、マゼンタ、イエローカラーフィルタを形成する。
【００３８】
前記第１サブ領域１０２ａ及び前記第２サブ領域１０２は要求されるカラーの色座標によって互いに同一の面積を有することもでき、互いに異なる面積を有することもできる。
また、本実施例において、前記第１サブ領域１０２ａ及び前記第２サブ領域１０２ｂの境界は前記第２画素領域１０２の幅方向に、つまり第２画素領域１０２の長辺を短辺方向に沿う分断線によって分割するように形成される。このように、第１サブ領域１０２ａ及び前記第２サブ領域１０２ｂの境界が前記第２画素領域１０２の幅方向に形成される場合、前記相対的に製作が容易になる。後述の図１〜図４等では第２画素領域１０２の長辺を短辺方向に沿う分断線によって分割しているが、後述の図５〜図７等では第２画素領域１０２の短辺を長辺方向に沿う分断線によって分割している。図１〜図４等の分断方法よりも図５〜図７等の分断方法の方が、カラーフィルタどうしが互いに面する面が小さいため、ミスアライメントによって第２画素領域１０２のカラーフィルターが互いに重なり合う面積が小さいく好ましい。
【００３９】
図３は本発明の他の一実施例によるカラーフィルタ基板の画素領域を示した平面図である。本実施例によるカラーフィルタ基板は前記第２画素領域を除いては、図１に示されたカラーフィルタ基板と同一である。従って、同一または類似した構成要素には同一の参照番号を付与し、同一または類似した構成要素に対する反復的説明は省略する。
図３に示すように、本実施例によるカラーフィルタ基板１００はベース基板１１０及び前記ベース基板１１０上に形成された複数のカラーフィルタを含む。選択的に、前記カラーフィルタ基板１００はカラーフィルタ基板１００の上部にマトリックス形状に配列された複数の画素領域を画定するブラックマトリックス１１１をさらに含む。それぞれの画素領域は第１画素領域１０１及び第２画素領域１０２を含む。
【００４０】
前記第２画素領域１０２は第１サブ領域１０２ａ、第２サブ領域１０２ｂ及び第３サブ領域１０２ｃを含む。前記第１サブ領域１０２ａ、前記第２サブ領域１０２ｂ、及び前記第３サブ領域１０２ｃの間の境界は前記第２画素領域１０２の幅方向に、つまり第２画素領域１０２の長辺を短辺方向に沿う分断線によって分割するように形成される。
前記第１サブ領域１０２ａ及び第２サブ領域１０２ｂにはレッドカラーフィルタ、グリーンカラーフィルタ及びブルーカラーフィルタのうち互いに異なる２つの色を有するカラーフィルタがそれぞれ形成される。
【００４１】
前記第３サブ領域１０２ｃは前記第１サブ領域１０２ａと第２サブ領域１０２ｂとの間に配置され、前記第３サブ領域１０２ｃによって前記第１サブ領域１０２ａ及び第２サブ領域１０２ｂに形成されたカラーフィルタが互いに離隔される。前記第３サブ領域１０２ｃは前記第１サブ領域１０２ａ及び第２サブ領域１０２ｂに形成されたカラーフィルタ間のオーバーラップを防止して段差生成を防止する。また、前記第３サブ領域１０２ｃを通じて、前記第２画素領域１０２を通過した光の色座標を調節することができる。
【００４２】
図４は本発明のさらにまたの一実施例によるカラーフィルタ基板の画素領域を示した平面図である。本実施例によるカラーフィルタ基板は前記第２画素領域を除いては、図１で示されたカラーフィルタ基板と同一である。従って、同一または類似した構成要素には同一の参照番号を付与し、同一または類似した構成要素に対する反復的な説明は省略する。
図４に示すように、本実施例によるカラーフィルタ基板１００はベース基板１１０及び前記ベース基板１１０上に形成された複数のカラーフィルタを含む。選択的に、前記カラーフィルタ基板１００はカラーフィルタ基板１００の上部にマトリックス形状に配列された複数の画素領域を画定するブラックマトリックス１１１をさらに含む。それぞれの画素領域は第１画素領域１０１及び第２画素領域１０２を含む。
【００４３】
前記第２画素領域１０２は第１サブ領域１０２ａ、第２サブ領域１０２ｂ及び第３サブ領域１０２ｃを含む。前記第１サブ領域１０２ａ、前記第２サブ領域１０２ｂ及び前記第３サブ領域１０２ｃの間の境界は前記第２画素領域１０２の幅方向に、つまり第２画素領域１０２の長辺を短辺方向に沿う分断線によって分割するように形成される。
前記第１サブ領域１０２ａ及び第２サブ領域１０２ｂにはレッドカラーフィルタ、グリーンカラーフィルタ及びブルーカラーフィルタのうち互いに異なる２つの色を有するカラーフィルタがそれぞれ形成される。
【００４４】
前記第３サブ領域１０２ｃは、前記第１サブ領域１０２ａ及び第２サブ領域１０２ｂの幅方向のエッジ部及び前記第１サブ領域１０２ａ及び第２サブ領域１０２ｂの間にに配置される。よって、前記第３サブ領域１０２ｃによって前記第１サブ領域１０２ａ及び第２サブ領域１０２ｂに形成されたカラーフィルタが互いに離隔される。前記第３サブ領域１０２ｃは前記第１サブ領域１０２ａ及び第２サブ領域１０２ｂに形成されたカラーフィルタ間のオーバーラップを防止して段差生成を防止する。また、前記第３サブ領域１０２ｃを通じて、前記第２画素領域１０２を通過した光の色座標を調節することができる。
【００４５】
図５は本発明のさらにまたの一実施例によるカラーフィルタ基板の画素領域を示した平面図である。本実施例によるカラーフィルタ基板は前記第２画素領域を除いては、図１で示されたカラーフィルタ基板と同一である。従って、同一または類似した構成要素には同一の参照番号を付与し、同一または類似した構成要素に対する反復的な説明は省略する。
図５に示すように、本実施例によるカラーフィルタ基板１００はベース基板１１０、及び前記ベース基板１１０上に形成された複数のカラーフィルタを含む。選択的に、前記カラーフィルタ基板１００はカラーフィルタ基板１００の上部にマトリックス形状に配列された複数の画素領域を画定するブラックマトリックス１１１をさらに含む。それぞれの画素領域は第１画素領域１０１及び第２画素領域１０２を含む。
【００４６】
第２画素領域１０２は前記第１サブ領域１０２ａ及び第２サブ領域１０２ｂを含み、第１サブ領域１０２ａ及び第２サブ領域１０２ｂにレッドカラーフィルタ、グリーンカラーフィルタ及びブルーカラーフィルタのうち互いに異なる二つの色を有するカラーフィルタがそれぞれ形成され前記シアン、マゼンタ、イエローカラーフィルタを形成する。
前記第１サブ領域１０２ａ及び前記第２サブ領域１０２ｂは要求されるカラーの色座標によって互いに同一の面積を有することができ、互いに異なる面積を有することもできる。
【００４７】
また、本実施例において、前記第１サブ領域１０２ａ及び前記第２サブ領域１０２ｂの境界は前記第２画素領域１０２の長さ方向に、第２画素領域１０２の短辺を長辺方向に沿う分断線によって分割するように形成される。このように、第１サブ領域１０２ａ及び前記第２サブ領域１０２ｂの境界が前記第２画素領域１０２の長さ方向に形成される場合、前記第１サブ領域１０２ａ及び前記第２サブ領域１０２ｂの境界部が増加するので混色に有利である。
【００４８】
図６は本発明のさらにまたの一実施例によるカラーフィルタ基板の画素領域を示した平面図である。本実施例によるカラーフィルタ基板は前記第２画素領域を除いては、図１で示されたカラーフィルタ基板と同一である。従って、同一または類似した構成要素には同一の参照番号を付与し、同一または類似した構成要素についての反復的な説明は省略する。
【００４９】
図６に示すように、本実施例によるカラーフィルタ基板１００はベース基板１１０、及び前記ベース基板１１０上に形成された複数のカラーフィルタを含む。選択的に、前記カラーフィルタ基板１００はカラーフィルタ基板１００の上部にマトリックス形状に配列された複数の画素領域を画定するブラックマトリックス１１１をさらに含む。それぞれの画素領域は第１画素領域１０１及び第２画素領域１０２を含む。
【００５０】
前記第２画素領域１０２は第１サブ領域１０２ａ、第２サブ領域１０２ｂ及び第３サブ領域１０２ｃを含む。前記第１サブ領域１０２ａ、前記第２サブ領域１０２ｂ及び前記第３サブ領域１０２ｃの間の境界は前記第２画素領域１０２の長さ方向に、第２画素領域１０２の短辺を長辺方向に沿う分断線によって分割するように形成される。
前記第１サブ領域１０２ａ及び第２サブ領域１０２ｂにはレッドカラーフィルタ、グリーンカラーフィルタ及びブルーカラーフィルタのうち互いに異なる二つの色を有するカラーフィルタがそれぞれ形成される。
【００５１】
前記第３サブ領域１０２ｃは前記第１サブ領域１０２ａと第２サブ領域１０２ｂとの間に配置され、前記第３サブ領域１０２ｃによって第１サブ領域１０２ａ及び第２サブ領域１０２ｂに形成されたカラーフィルタが互いに離隔される。前記第３サブ領域１０２ｃは前記第１サブ領域１０２ａ及び第２サブ領域１０２ｂに形成されたカラーフィルタ間のオーバーラップを防止して段差生成を防止する。また、前記第３サブ領域１０２ｃを通じて、前記第２画素領域１０２を通過した光の色座標を調節することができる。
【００５２】
図７は本発明のさらにまたの一実施例によるカラーフィルタ基板の画素領域を示す平面図である。本一実施例によるカラーフィルタ基板は前記第２画素領域を除いては、図１に示されたカラーフィルタ基板と同一である。従って、同一または類似した構成要素には同一の参照番号を付与し、同一または類似した構成要素についての反復的な説明は省略する。
【００５３】
図７に示すように、本実施例によるかカラーフィルタ基板１００はベース基板１１０及び前記ベース基板１１０上に形成された複数のカラーフィルタを含む。選択的に、前記カラーフィルタ基板１００はカラーフィルタ基板１００の上部にマトリックス形状に配列された複数の画素領域を画定するブラックマトリックス１１１をさらに含む。それぞれの画素領域は第１画素領域１０１及び第２画素領域１０２を含む。
【００５４】
前記第２画素領域１０２は第１サブ領域１０２ａ、第２サブ領域１０２ｂ及び第３サブ領域１０２ｃを含む。前記第１サブ領域１０２ａ、前記第２サブ領域１０２ｂ及び前記第３サブ領域１０２ｃの間の境界は前記第２画素領域１０２の長さ方向に、第２画素領域１０２の短辺を長辺方向に沿う分断線によって分割するように形成される。
前記第１サブ領域１０２ａ及び第２サブ領域１０２ｂにはレッドカラーフィルタ、グリーンカラーフィルタ及びブルーカラーフィルタのうち互いに異なる二つの色を有するカラーフィルタがそれぞれ形成される。
【００５５】
前記第３サブ領域１０２ｃは、前記第１サブ領域１０２ａ及び第２サブ領域１０２ｂの長さ方向のエッジ部及び前記第１サブ領域１０２ａ及び第２サブ領域１０２ｂの間に配置される、よって、前記第３サブ領域１０２ｃによって前記第１サブ領域１０２ａ及び第２サブ領域１０２ｂに形成されたカラーフィルタが互いに離隔される。前記第３サブ領域１０２ｃは前記第１サブ領域１０２ａ及び第２サブ領域１０２ｂに形成されたカラーフィルタ間のオーバーラップを防止して段差生成を防止する。また、前記第３サブ領域１０２ｃを通じて、前記第２画素領域１０２を通過した光の色座標を調節することができる。
【００５６】
図８は本発明のさらにまたの一実施例によるカラーフィルタ基板の画素領域を示した平面図である。本一実施例によるカラーフィルタ基板は前記第２画素領域を除いては、図１に示されたカラーフィルタ基板と同一である。従って、同一または類似した構成要素には同一の参照番号を付与し、同一または類似した構成要素については反復的な説明は省略する。
【００５７】
図８に示すように、本実施例によるカラーフィルタ基板１００はベース基板、及び前記ベース基板１１０上に形成された複数のカラーフィルタを含む。選択的に、前記カラーフィルタ基板１００はカラーフィルタ基板１００の上部にマトリックス形状に配列された複数の画素領域を画定するブラックマトリックス１１１をさらに含む。それぞれの画素領域は第１画素領域１０１及び第２画素領域１０２を含む。
【００５８】
１つの第２画素領域１０２は、前記第１サブ領域１０２ａ及び第２サブ領域１０２ｂを含む。前記第１サブ領域１０２ａ及び第２サブ領域１０２ｂは、メッシュ形状に分割された第２画素領域１０２の各領域を構成し、交互に配置される。第１サブ領域１０２ａ及び第２サブ領域１０２ｂにレッドカラーフィルタ、グリーンカラーフィルタ、及びブルーカラーフィルタのうち互いに異なる２つの色を有するカラーフィルタがそれぞれ形成され、各第２画素領域１０２が前記シアン、マゼンタ、イエローカラーフィルタを形成する。
【００５９】
前記第１サブ領域１０２ａ及び前記第２サブ領域１０２ｂは要求されるカラーの色座標によって互いに同一の面積を有することもでき、互いに異なる面積を有することもできる。
また、本実施例において、前記第１サブ領域１０２ａ及び前記第２サブ領域１０２ｂの境界はメッシュ形状に形成される。即ち、第１サブ領域１０２ａ及び第２サブ領域１０２ｂはチエス（ｃｈｅｓｓ）盤の形状に配列される。
【００６０】
このように、第１サブ領域１０２ａ及び前記第２サブ領域１０２ｂの境界がメッシュ形状に形成される場合、前記第１サブ領域１０２ａ及び前記第２サブ領域１０２ｂの境界部が増加するので混色に有利である。
図９は本発明のさらにまたの一実施例によるカラーフィルタ基板の画素領域を示す平面図である。本実施例によるカラーフィルタ基板は前記第２画素領域を除いては、図１で示されたカラーフィルタ基板と同一である。従って、同一または類似した構成要素には同一の参照番号を付与し、同一または類似した構成要素につていの反復的な説明は省略する。
【００６１】
図９に示すように、本実施例によるカラーフィルタ基板１００はベース基板１１０及び前記ベース基板１１０上に形成された複数のカラーフィルタを含む。選択的に、前記カラーフィルタ基板１００はカラーフィルタ基板１００の上部にマトリックス形状に配列された複数の画素領域を画定するブラックマトリックス１１１をさらに含む。それぞれの画素領域は第１画素領域１０１及び第２画素領域１０２を含む。
【００６２】
前記第２画素領域１０２は第１サブ領域１０２ａ、第２サブ領域１０２ｂ、及び第３サブ領域１０２ｃを含む。前記第１サブ領域１０２ａ及び第２サブ領域１０２ｂにはレッドカラーフィルタ、グリーンカラーフィルタ及びブルーカラーフィルタのうち互いに異なる二つの色を有するカラーフィルタがそれぞれ形成される。
前記第３サブ領域１０２ｃは、前記第１サブ領域１０２ａ及び第２サブ領域１０２ｂエッジ部に形成される。具体的に、前記第１サブ領域１０２ａ及び第２サブ領域１０２ｂは、メッシュ形状に分割された第２画素領域１０２の各領域を構成する。ここで、第１サブ領域１０２ａ及び第２サブ領域１０２ｂは、交互に配置されても良い。第３サブ領域１０２ｃは、第１サブ領域１０２ａ及び第２サブ領域１０２ｂを取り囲むように第１サブ領域１０２ａ及び第２サブ領域１０２ｂの間に配置される。換言すれば、前記第１サブ領域１０２ａ及び第２サブ領域１０２ｂは前記第３サブ領域１０２ｃでマトリックス形状に配列される。
【００６３】
前記第３サブ領域１０２ｃによって前記第１サブ領域１０２ａ及び第２サブ領域１０２ｂに形成されたカラーフィルタが互いに離隔される。前記第３サブ領域１０２ｃは前記第１サブ領域１０２ａ及び前記第２サブ領域１０２ｂに形成されたカラーフィルタ間のオーバーラップを防止して段差生成を防止する。また、前記第３サブ領域１０２ｃを通じて、前記第２画素領域１０２を通過した光の色座標を調節することができる。
【００６４】
図１０は本発明のさらにための実施例によるカラーフィルタ基板の画素領域を示した平面図である。本実施例によるカラーフィルタ基板は前記第２画素領域を除いては、図１で示されたカラーフィルタ基板と同一である。従って、同一または類似した構成要素には同一の参照番号を付与し、同一または類似した構成要素についての反復的な説明は省略する。
【００６５】
図１０に示すように、本実施例によるカラーフィルタ基板１００はベース基板１１０及び前記ベース基板１１０上に形成された複数のカラーフィルタを含む。選択的に、前記カラーフィルタ基板１００はカラーフィルタ基板１００の上部にマトリックス形状に配列された複数の画素領域を画定するブラックマトリックス１１１をさらに含む。それぞれの画素領域は第１画素領域１０１及び第２画素領域１０２を含む。
【００６６】
前記第２画素領域１０２は第１サブ領域１０２ａ、第２サブ領域１０２ｂ及び第３サブ領域１０２ｃを含む。前記第１サブ領域１０２ａ及び第２サブ領域１０２ｂにはレッドカラーフィルタ、グリーンカラーフィルタ及びブルーカラーフィルタのうち互いに異なる二つの色を有するカラーフィルタがそれぞれ形成される。
前記第１サブ領域１０２ａ及び第２サブ領域１０２ｂはそれぞれドット形状を有し、前記第３サブ領域１０２ｃでマトリックス形状に配列される。また、前記第１サブ領域１０２ａ及び第２サブ領域１０２ｂは交番的に交互されることもできる。第３サブ領域１０２ｃは、第１サブ領域１０２ａ及び第２サブ領域１０２ｂを取り囲むように第１サブ領域１０２ａ及び第２サブ領域１０２ｂの間に配置される。
【００６７】
前記第３サブ領域１０２ｃによって前記第１サブ領域１０２ａ及び第２サブ領域１０２ｂに形成されたカラーフィルタが互いに離隔される。前記第３サブ領域１０２ｃは前記第１サブ領域１０２ａ及び第２サブ領域１０２ｂに形成されたカラーフィルタ間のオーバーラップを防止して段差生成を防止する。また、前記第３サブ領域１０２ｃを通じて、前記第２画素領域１０２を通過した光の色座標を調節することができる。
【００６８】
図１１は本発明のさらにまたの一実施例によるカラーフィルタ基板の画素領域を示す平面図である。本実施例によるカラーフィルタ基板は前記第２画素領域を除いては、図１で示されたカラーフィルタ基板と同一である。従って、同一または類似した構成要素には同一の参照番号を付与し、同一または類似した構成要請についての反復的な説明は省略する。
【００６９】
図１１に示すように、本実施例によるカラーフィルタ基板１００はベース基板１１０、及び前記ベース基板１１０上に形成された複数のカラーフィルタを含む。選択的に、前記カラーフィルタ基板１００はカラーフィルタ基板１００の上部にマトリックス形状に配列された複数の画素領域を画定するブラックマトリックス１１１をさらに含む。それぞれの画素領域は第１画素領域１０１及び第２画素領域１０２を含む。
【００７０】
前記第２画素領域１０２は第１サブ領域１０２ａ、第２サブ領域１０２ｂ及び第３サブ領域１０２ｃを含む。前記第１サブ領域１０２ａ、前記第２サブ領域１０２ｂ及び前記第３サブ領域１０２ｃの間の境界は前記第２画素領域１０２の幅方向に、つまり第２画素領域１０２の長辺を短辺方向に沿う分断線によって分割するように形成される。
前記第１サブ領域１０２ａ及び第２サブ領域１０２ｂにはレッドカラーフィルタ、グリーンカラーフィルタ及びブルーカラーフィルタのうち互いに異なる二つの色を有するカラーフィルタがそれぞれ形成される。
【００７１】
前記第３サブ領域１０２ｃは前記第１サブ領域１０２ａと第２サブ領域１０２ｂとの間に配置され、前記第３サブ領域１０２ｃによって前記第１サブ領域１０２ａ及び第２サブ領域１０２ｂに形成されたカラーフィルタが互いに離隔される。前記第１サブ領域１０２ａ、第２サブ領域１０２ｂの面積は互いに異なる。また、隣接する画素領域の前記第３サブ領域の面積は互いに異なるように調節することもできる。
【００７２】
前記第３サブ領域１０２ｃは前記第１サブ領域１０２ａ及び第２サブ領域１０２ｂに形成されたカラーフィルタ間のオーバーラップを防止して段差生成を防止する。また、前記第３サブ領域１０２ｃを通じて、前記第２画素領域１０２を通過した光の色座標を調節することができる。
図１２は本発明のさらにまたの一実施例によるカラーフィルタ基板の画素領域を示した平面図である。本実施例によるカラーフィルタ基板は前記第２画素領域を除いては、図１で示されたカラーフィルタ基板と同一である。従って、同一または類似した構成要素には同一の参照番号を付与し、同一または類似した構成要素についての反復的な説明は省略する。
【００７３】
図１２に示すように、本実施例によるカラーフィルタ基板１００はベース基板１１０及び前記ベース基板１１０上に形成された複数のカラーフィルタを含む。選択的に、前記カラーフィルタ基板１００はカラーフィルタ基板１００の上部にマトリックス形状に配列された複数の画素領域を画定するブラックマトリックス１１１をさらに含む。それぞれの画素領域は第１画素領域１０１及び第２画素領域１０２を含む。
【００７４】
前記第２画素領域１０２は第１サブ領域１０２ａ、第２サブ領域１０２ｂ及び第３サブ領域１０２ｃを含む。前記第１サブ領域１０２ａ、前記第２サブ領域１０２ｂ及び前記第３サブ領域１０２ｃの間の境界は前記第２画素領域１０２の長さ方向に、第２画素領域１０２の短辺を長辺方向に沿う分断線によって分割するように形成される。
前記第１サブ領域１０２ａ及び第２サブ領域１０２ｂにはレッドカラーフィルタ、グリーンカラーフィルタ及びブルーカラーフィルタのうち互いに異なる色を有するカラーフィルタがそれぞれ形成される。
【００７５】
前記第３サブ領域１０２ｃは前記第１サブ領域１０２ａと第２サブ領域１０２の間に配置され、前記第３サブ領域１０２ｃによって前記第１サブ領域１０２ａ及び第２サブ領域１０２ｂに形成されたカラーフィルタが互いに離隔される。前記第１サブ領域１０２ａ、第２サブ領域１０２ｂの面積は互いに異なる。また、隣接する画素領域の前記第３サブ領域の面積は互いに異なるように調節されることもできる。
【００７６】
前記第３サブ領域１０２ｃは前記第１サブ領域１０２ａ及び前記第２サブ領域１０２ｂに形成されたカラーフィルタ間のオーバーラップを防止して段差生成を防止する。また、前記第３サブ領域１０２ｃを通じて、前記第２画素領域１０２を通過した光の色座標を調節することができる。
以下、図２に示す本発明の一実施例によるカラーフィルタ基板の製造方法を説明する。
【００７７】
ベース基板１１０上部に、ベース基板１１０の第１画素領域１０１及び第２画素領域１０２を露出させる開口部を含むブラックマトリックス１１１が形成される。
より詳細に説明すると、ベース基板１１０の上部面を全体的にカバーするブラックマトリックス層（図示せず）を形成し、前記第１画素領域１０１及び前記第２画素領域１０２に対応する部分を除去して前記開口部を形成する。選択的に、前記第１画素領域１０１及び前記第２画素領域１０２を除いた部分のみにブラックマトリックス層を形成することもできる。
【００７８】
以後、第１画素領域１０１部分及び第２画素領域の第１サブ領域にレッドカラーフィルタ、グリーンカラーフィルタ及びブルーカラーフィルタを順次に形成する。同時に、第２画素領域の第２サブ領域にレッドカラーフィルタ、グリーンカラーフィルタ及びブルーカラーフィルタを形成して、シアンカラーフィルタ、マゼンタカラーフィルタ及びイエローカラーフィルタを形成する。
【００７９】
図１３は本発明の一実施例による表示装置を示した断面図である。
図１３に示すように、本発明の一実施例による表示装置はベース基板１１０、前記ベース基板１１０上部に形成された複数の有機電界発光素子３１０及び前記有機電界発光素子３１０上部に形成されたカラーフィルタ層３２０を含む。
前記有機電界発光素子３１０は前記ベース基板１１０上部でマトリックス形態に配置され、白色光を発散する。前記有機電界発光素子３１０は第１電極３１１、第２電極３１３及び有機電界発光層３１２を含む。前記第１電極３１１は前記ベース基板１１０上部に形成されマトリックス形態に配列される。前記有機電界発光層３１２は前記第１電極３１１上部に形成され、前記第２電極３１３は前記有機電界発光層３１２上部に形成される。
【００８０】
前記第１電極３１１は、例えば、金属を含み、前記第２電極３１３は、例えば、光学的に透明で電気的に導電性の物質例えば、インジウム錫酸化物（ＩＴＯ）、インジウム亜鉛酸化物（ＩＺＯ）などを含む。前記有機発光層３１２は前記第１電極３１１と前記第２電極３１３との間に介在される。
前記第１電極３１１及び前記第２電極３１３に電圧が印加され正孔及び電子が放出され、前記正孔及び電子が前記有機発光層３１２で結合すると光が発生される。このような光が前記第２電極３１３を通過し、前記カラーフィルタ層３２０を通過し特定の色を示すようにフィルタリングされる。
【００８１】
前記カラーフィルタ層３２０は図１ないし図１２に示されたカラーフィルタ層の配列と実質的に同一である。従って、それ以上の説明は省略する。
図１４は本発明の他の一実施例による表示装置を示した断面図である。
図１４に示すように、本発明の一実施例による表示装置はベース基板１１０、前記ベース基板１１０上部に形成されたカラーフィルタ層３２０、及び前記カラーフィルタ層３２０上部に形成された複数の有機電界発光素子３１０を含む。
【００８２】
前記有機電界発光素子３１０は前記カラーフィルタ層３２０上部でマトリックス形態に配置され、白色光を発散する。前記有機電界発光素子３１０は第１電極３１１、第２電極３１３及び有機電界発光層３１２を含む。前記第２電極３１３は前記ベース基板１１０上部に形成されマトリックス形態に配列される。前記有機電界発光層３１２は前記第２電極３１３上部に形成され、前記第１電極３１１は前記有機電界発光層３１２上部に形成される。
【００８３】
前記第１電極３１１は、例えば、金属を含み、前記第２電極３１３は、例えば、光学的に透明で電気的に導電性の物質例えばインジウム錫酸化物（ＩＴＯ）、インジウム亜鉛酸化物（ＩＺＯ）などを含む。前記有機発光層３１２は前記第１電極３１１と前記第２電極３１３との間に介在される。
前記第１電極３１１及び前記第２電極３１３に電圧が印加され正孔及び電子が放出され、前記正孔及び電子が前記有機発光層３１２で結合すると光が発生される。このような光が前記第２電極３１３を通過し、前記カラーフィルタ層３２０を通過し特定の色を表すようにフィルタリングされる。
【００８４】
前記カラーフィルタ層３２０は図１乃至図１１に示されたカラーフィルタ層の配列と実質的に同一である。従って、これ以上の説明は省略する。
図１５は本発明のさらにまたの一実施例による表示装置を示した断面図である。
図１５に示すように、本一実施例による表示装置５００はアレイ基板５２０、カラーフィルタ基板５４０及び前記アレイ基板５２０とカラーフィルタ基板５４０との間に配置された液晶層５３０を含む。
【００８５】
前記アレイ基板５２０は第１ベース基板５２１、スイッチング素子５２５及び画素電極を含む。前記スイッチング素子５２５は前記第１ベース基板５２１上部に形成される。前記スイッチング素子はゲート電極（Ｇ）、ドレイン電極（Ｄ）、ソース電極（Ｓ）及びアクティブ層（Ａ）を含む。ゲート電極（Ｇ）は前記第１ベース基板５２１上部に形成され、前記ゲート電極（Ｇ）が形成された第１ベース基板５２１上部にはゲート絶縁膜５２２が形成される。
【００８６】
ゲート絶縁膜上部にゲート電極に対応する領域にはアクティブ層（Ａ）が形成され、前記アクティブ層（Ａ）上部にはソース電極（Ｓ）及び前記ソース電極（Ｓ）と離隔されたドレイン電極（Ｄ）が形成される。前記スイッチング素子５２５が形成された第１ベース基板上部には絶縁膜５２３が形成され、絶縁膜５２３の一部領域が除去され前記ドレイン電極（Ｄ）の一部を露出させるコンタクトホールが形成される。
【００８７】
前記絶縁膜５２３上部には画素電極５２４が形成される。前記画素電極５２４は前記コンタクトホールを通じて前記ドレイン電極（Ｇ）と電気的に連結される。
前記カラーフィルタ基板は第２ベース基板５４３、前記第２ベース基板５４３上部に形成されたカラーフィルタ層５４２及び前記カラーフィルタ層５４２上部に形成された共通で５４１層を含む。前記カラーフィルタ層５４２は図１乃至図１１に示されたカラーフィルタ層の配列と実質的に同一である。従って、それ以上の説明は省略する。
【００８８】
前記画素電極５２４に前記スイッチング素子５２５を通じて画素電圧が印加されると、前記画素電極５２４と前記共通電極５４１との間に介在された液晶層の間に電気場が形成され液晶層５３０の液晶分子が再配列され光学的透過率が変化される。従って、画像が表示される。
上記のようなレッド、グリーン、及びブルーを混ぜ合わせて様々な色を再現する加法混色では、これらの色を混ぜ合わせると輝度が高くなる。一方、減法混色では、混ぜ合わせるほど輝度が低くなる。本発明のように、互いに異なる光を混合する加法混色を具現するカラーフィルタ及びそれを含む表示装置によると輝度が増加され画質が向上される。
【００８９】
また、上述のように、例えば、第１画素領域には基本三原色のカラーフィルタを配置し、第２画素領域のサブ領域には基本三原色の混色のカラーフィルタを配置することで、多色カラーフィルタを製造することができる。これにより、より広い色再現の範囲を具現することができる。
また、前記カラーフィルタの製造方法によると工程が単純化され生産性が向上される。
【００９０】
以上、本発明の実施例によって詳細に説明したが、本発明はこれに限定されず、本発明が属する技術分野において通常の知識を有するものであれば本発明の思想と精神を離脱することなく、本発明を修正または変更できる。
【産業上の利用可能性】
【００９１】
本発明は、例えば有機ＥＬディスプレイ等に適用可能である。
【図面の簡単な説明】
【００９２】
【図１】本発明の一実施例によるカラーフィルタ基板の画素領域を示した平面図である。
【図２】図１のＩ−Ｉ‘線に沿って切開された部分を示した断面図である。
【図３】本発明の他の一実施例によるカラーフィルタ基板の画素領域を示した平面図である。
【図４】本発明のさらにまたの一実施例によるカラーフィルタ基板の画素領域を示した平面図である。
【図５】本発明のさらにまたの一実施例によるカラーフィルタ基板の画素領域を示した平面図である。
【図６】本発明のさらにまたの一実施例によるカラーフィルタ基板の画素領域を示した平面図である。
【図７】本発明のさらにまたの一実施例によるカラーフィルタ基板の画素領域を示した平面図である。
【図８】本発明のさらにまたの一実施例によるカラーフィルタ基板の画素領域を示した平面図である。
【図９】本発明のさらにまたの一実施例によるカラーフィルタ基板の画素領域を示した平面図である。
【図１０】本発明のさらにまたの一実施例によるカラーフィルタ基板の画素領域を示した平面図である。
【図１１】本発明のさらにまたの一実施例によるカラーフィルタ基板の画素領域を示した平面図である。
【図１２】本発明のさらにまたの一実施例によるカラーフィルタ基板の画素領域を示した平面図である。
【図１３】本発明の一実施例による表示装置を示した断面図である。
【図１４】本発明の他の一実施例による表示装置を示した断面図である。
【図１５】本発明のさらにまたの一実施例による表示装置を示した断面図である。
【符号の説明】
【００９３】
１００      カラーフィルタ基板
１１０      ベース基板
１０１      第１画素領域
１０２      第２画素領域
１１１      ブラックマトリックス
３００、４００、５００      表示装置
【図１】
0005116263.tif 000002
【図２】
0005116263.tif 000003
【図３】
0005116263.tif 000004
【図４】
0005116263.tif 000005
【図５】
0005116263.tif 000006
【図６】
0005116263.tif 000007
【図７】
0005116263.tif 000008
【図８】
0005116263.tif 000009
【図９】
0005116263.tif 000010
【図１０】
0005116263.tif 000011
【図１１】
0005116263.tif 000012
【図１２】
0005116263.tif 000013
【図１３】
0005116263.tif 000014
【図１４】
0005116263.tif 000015
【図１５】
0005116263.tif 000016